(57)【要約】【課題】氷の穴に容易に装着でき、釣りがスムーズに行える氷穴アダプターの提案【解決手段】  ここで提案される氷穴アダプター１０は、筒部材１２と、設置部材１４とを有している。筒部材１２は、筒部１２ａと、筒部１２ａの上部に外径側に突出した係止部１２ｂとを有している。設置部材１４は、筒部１２ａが挿通可能な筒部挿通穴１４ａと、筒部挿通穴１４ａの周りで係止部１２ｂを支持する支持部１４ａ１とを備えている。【選択図】図２
0003200834.tif 000002
【実用新案登録請求の範囲】
【請求項１】
筒部材と、
設置部材と
を有し、
前記筒部材は、
筒部と、
前記筒部の上部に外径側に突出した係止部と
を有し、
前記設置部材は、
前記筒部が挿通可能な筒部挿通穴と、
前記筒部挿通穴の周りで前記係止部を支持する支持部と
を有する、氷穴アダプター。
【請求項２】
前記係止部は、前記筒部の上縁から外径側に折れ曲がった上縁部である、請求項１に記載された氷穴アダプター。
【請求項３】
前記設置部材は、前記筒部挿通穴が中心部に形成された円板状の部材である、請求項１又は２に記載された氷穴アダプター。
【請求項４】
前記設置部材の外径側の外縁部は下方に湾曲している、請求項３に記載された氷穴アダプター。
【請求項５】
前記筒部の下端部の内径は、下方に向かうにつれて外径側へ広くなっている、請求項１から４までの何れか一項に記載された氷穴アダプター。
【考案の詳細な説明】
【技術分野】
【０００１】
本発明は氷穴アダプターに関する。ここで氷穴アダプターは、例えば、水面に張った氷にドリルによって空けられた穴に装着される部材である。
【背景技術】
【０００２】
例えば、冬のワカサギ釣りでは、水面に張った氷に穴を空けて釣り糸を垂らして釣りが行われる。特開２００６−６２９９号公報では、かかる釣りにおいて、スムーズに釣りを行うために、氷の穴に丸い輪を入れ、氷の下の角に釣り糸が接触するのを防ぐ装置が提案されている。
【先行技術文献】
【特許文献】
【０００３】
【特許文献１】特開２００６−６２９９号公報
【考案の概要】
【考案が解決しようとする課題】
【０００４】
ところで、このような氷上の釣りでは、釣り具や携帯品が氷の上を滑って氷の穴に落ちることがある。また、特許文献１で提案されるような装置は、氷の穴に容易に装着でき、かつ、釣りがよりスムーズに行えることが望ましい。
【課題を解決するための手段】
【０００５】
ここで提案される氷穴アダプターは、筒部材と、設置部材とを有している。筒部材は、筒部と、筒部の上部に外径側に突出した係止部とを有している。設置部材は、筒部が挿通可能な筒部挿通穴と、筒部挿通穴の周りで前記係止部を支持する支持部とを有している。ここで、筒部材の係止部は、筒部の上縁から外径側に折れ曲がった上縁部であってもよい。
【０００６】
また、設置部材は、例えば、筒部挿通穴が中心部に形成された円板状の部材であるとよい。この場合、設置部材の外径側の外縁部は下方に湾曲しているとよい。筒部の下端部の内径は、下方に向かうにつれて外径側へ広くなっていてもよい。
【図面の簡単な説明】
【０００７】
【図１】図１は、氷穴アダプター１０の側面図である。
【図２】図２は、氷穴アダプター１０の断面図である。
【図３】図３は、設置部材１４の平面図である。
【考案を実施するための形態】
【０００８】
以下、ここで提案される氷穴アダプターを図面に基づいて説明する。
【０００９】
ここで提案される氷穴アダプター１０は、図１および図２に示すように、筒部材１２と、設置部材１４とを有している。ここで、図２は、氷穴アダプター１０の断面図であり、水上に張った氷１００の穴１０２（氷穴）に装着された状態が示されている。このような穴１０２は、例えば、専用のドリルで空けられる。筒部材１２は、筒部１２ａと、筒部１２ａの上部に外径側に突出した係止部１２ｂとを有している。この実施形態では、係止部１２ｂとして、筒部材１２は、筒部１２ａの上縁に外径側に折れ曲がった上縁部１２ｂを有している。設置部材１４は、図２および図３に示すように、筒部１２ａが挿通可能な筒部挿通穴１４ａと、筒部挿通穴１４ａの周りで係止部１２ｂを支持する支持部１４ａ１とを有している。この実施形態では、筒部挿通穴１４ａは、筒部１２ａが挿通可能で、かつ、筒部材１２の上縁部１２ｂが挿通されない程度の穴である。支持部１４ａ１は、筒部挿通穴１４ａの周りに設けられている。係止部としての上縁部１２ｂは、筒部挿通穴１４ａの周りに設けられた支持部１４ａ１に引っ掛かるように構成されている。
【００１０】
設置部材１４は、図２に示すように、氷１００の穴１０２に筒部挿通穴１４ａが合うように氷１００の上に置かれる。筒部材１２の筒部１２ａは、氷１００の上に置かれた設置部材１４の筒部挿通穴１４ａに挿通され、筒部材１２の上縁部１２ｂが筒部挿通穴１４ａの周縁に引っ掛けられる。氷穴アダプター１０の筒部材１２の筒部１２ａを通して、氷１００の穴１０２に釣り糸を垂らすことができる。また、氷１００の穴１０２の周囲は、設置部材１４で囲われているので、携帯品が氷１００の上を滑って穴１０２に落ちることが防止されうる。
【００１１】
この実施形態では、筒部１２ａは、水平な横断面が円形である。この場合、設置部材１４の筒部挿通穴１４ａの内径は、筒部１２ａの外径よりも大きく、上縁部１２ｂの外径よりも小さいとよい。氷１００の穴１０２は、ドリルを用いて空けられる場合、円形の穴になる。筒部１２ａは、このような氷１００の穴１０２に沿った形状であり、穴１０２に対する収まりがよく、釣り糸や釣り針や釣れた魚がスムーズに引き上げられうる。
【００１２】
また、設置部材１４は、筒部挿通穴１４ａが中心部に形成された円板状の部材であるとよい。この場合、設置部材１４の外径側の縁部１４ｂは下方に湾曲しているとよい。かかる形状によって、氷１００の穴１０２の周りで設置部材１４が盛り上がった状態になるので、氷１００の上を滑った携帯品が穴１０２に落ちにくい。
【００１３】
また、この実施形態では、筒部１２ａの下端部１２ｃの内径は、下方に向かうにつれて外径側へ広くなっている。筒部１２ａの下端部１２ｃの内径が下方に向かうにつれて外径側へ広くなっているので、釣り糸を引き上げる際に、筒部１２ａの間口が広い。このため、釣り糸や釣り針や釣れた魚がスムーズに引き上げられうる。
【００１４】
以上、ここで提案されうる氷穴アダプター１０を説明したが、本発明に係る氷穴アダプターは、特に言及されない限りにおいて、上述した実施形態に限定されない。
【００１５】
例えば、上述した実施形態では、好ましい一つの形態として、筒部材１２は略円筒形状であり、設置部材１４は略円板状の部材であるが、筒部材１２や設置部材１４は必ずしも円形でなくてもよい。また、設置部材１４は、板状であるが、所要の肉厚を有するブロック状の部材でもよい。また、筒部材１２の係止部１２ｂの構造も上述した実施形態に限定されない。例えば、上述した実施形態では、筒部材１２の全周にわたって、筒部材１２の上縁が外径側に折れ曲がっており、かかる上縁部１２ｂが設置部材１４の筒部挿通穴１４ａの周りの支持部１４ａ１に引っ掛かる。かかる構造において、筒部材１２の周方向の一部において、筒部材１２の上縁が外径側に折れ曲がって、係止部を構成してもよい。係止部として、筒部材１２の上部に、外径側に突出した部材が別途取付けられてもよい。
【符号の説明】
【００１６】
１０  氷穴アダプター
１２  筒部材
１２ａ  筒部
１２ｂ  上縁部（係止部）
１２ｃ  下端部
１４  設置部材
１４ａ  筒部挿通穴
１４ａ１  支持部
１４ｂ  縁部
１００  氷
１０２  穴
【図１】
0003200834.tif 000003
【図２】
0003200834.tif 000004
【図３】
0003200834.tif 000005